(57)【要約】  【課題】  利用者が任意に指定したページイメージの向きに基づいて、文書に対する処理を行うことのできる文書処理方法および装置並びにプログラムを提供する。  【解決手段】  文書をイメージデータとしてボックス１５０−１に記憶する際に、イメージデータ１５１Ａの各ページに対応する属性情報１５２Ａを併せて記憶し、属性情報１５２Ａにイメージデータ１５１Ａの向きを設定しておく。【選択図】        図２
2006115309.tif 000002
【特許請求の範囲】
【請求項１】
文書をイメージデータとして管理する文書処理方法であって、
文書を、イメージデータと、該イメージデータの向きとを組みにして記憶手段に記憶することを特徴とする文書処理方法。
【請求項２】
前記記憶手段に記憶している複数のイメージデータに対し、該イメージデータのそれぞれに対応する向きに応じて回転処理を施し、該回転処理を施したイメージデータを一連の文書として出力することを特徴とする請求項１記載の文書処理方法。
【請求項３】
前記記憶手段に記憶しているイメージデータに対し、該イメージデータに対応する向きに応じてステープル若しくはパンチ処理を施す位置を決定することを特徴とする請求項１記載の文書処理方法。
【請求項４】
前記記憶手段に記憶しているイメージデータに対し、該イメージデータに対応する向きに応じて他のイメージを合成することを特徴とする請求項１記載の文書処理方法。
【請求項５】
画像読取手段で原稿を読み取って得たイメージデータに対し、該イメージデータの向きを組みにして前記記憶手段に記憶することを特徴とする請求項１記載の文書処理方法。
【請求項６】
ページ記述言語で記述された文書をイメージデータに展開するとともに、該ページ記述言語で記述された文書の向きを特定し、該展開したイメージデータと該特定した向きを組みにして前記記憶手段に記憶することを特徴とする請求項１記載の文書処理方法。
【請求項７】
原稿を読み取って得たイメージデータを文書として出力する文書処理方法であって、
画像読取手段での読み込みパラメータとともに原稿の向きの指定を受け付け、該受け付けた向きを、前記画像読取手段で原稿を読み取って得たイメージデータと組みにして出力することを特徴とする文書処理方法。
【請求項８】
指定された電子文書をページ記述言語で記述した文書として出力する文書処理方法であって、
前記電子文書の向きを取得し、該取得した向きを前記ページ記述言語で前記文書に記述することを特徴とする文書処理方法。
【請求項９】
文書をイメージデータとして管理する文書処理装置であって、
文書を記憶する記憶手段と、
文書を、イメージデータと該イメージデータの向きとを組みとして前記記憶手段に記憶する制御手段と
を具備することを特徴とする文書処理装置。
【請求項１０】
前記記憶手段に記憶している複数のイメージデータに対し、該イメージデータのそれぞれに対応する向きに応じて回転処理を施し、該回転処理を施したイメージデータを一連の文書として出力する画像処理手段をさらに具備することを特徴とする請求項９記載の文書処理装置。
【請求項１１】
前記記憶手段に記憶しているイメージデータに対し、該イメージデータに対応する向きに応じてステープル若しくはパンチ処理を施す位置を決定する後処理制御手段をさらに具備することを特徴とする請求項９記載の文書処理装置。
【請求項１２】
前記記憶手段に記憶しているイメージデータに対し、該イメージデータに対応する向きに応じて他のイメージを合成する画像処理手段をさらに具備することを特徴とする請求項９記載の文書処理装置。
【請求項１３】
原稿に基づいてイメージデータを生成する画像読取手段をさらに具備し、
前記制御手段は、前記画像読取手段で原稿を読み取って得たイメージデータに対し、該イメージデータの向きを組みにして前記記憶手段に記憶する
ことを特徴とする請求項９記載の文書処理装置。
【請求項１４】
ページ記述言語で記述された文書をイメージデータに展開するとともに、該ページ記述言語で記述された文書の向きを特定する展開手段をさらに具備し、
前記制御手段は、前記展開手段が展開したイメージデータと、前記展開手段が特定した向きを組みにして前記記憶手段に記憶する
ことを特徴とする請求項９記載の文書処理装置。
【請求項１５】
原稿を読み取って得たイメージデータを文書として出力する文書処理装置であって、
原稿に基づいてイメージデータを生成する画像読取手段と、
前記画像読取手段での読み込みパラメータとともに原稿の向きの指定を受け付ける入力手段と、
前記入力手段で受け付けた向きを、前記画像読取手段で原稿を読み取って得たイメージデータと組みにして出力する出力手段と
を具備することを特徴とする文書処理装置。
【請求項１６】
指定された電子文書をページ記述言語で記述した文書として出力する文書処理プログラムであって、
前記電子文書の向きを取得するステップと、
前記向きを前記ページ記述言語で前記文書に記述するステップと
を情報処理装置に実行させることを特徴とする文書処理プログラム。
【発明の詳細な説明】
【技術分野】
【０００１】
本発明は、文書処理方法および装置並びにプログラムに関し、特に、文書をイメージデータとして管理し、該管理しているイメージデータに基づいて処理を実行する文書処理方法および装置並びにプログラムに関する。
【背景技術】
【０００２】
近年、多くの文書が電子化され、電子ファイルとして利用または保存される機会が増加している。これに伴って、電子化された文書を取り扱う様々な装置が提供されている。
【０００３】
このような装置の１つとして、コピーサーバ機能を有する画像形成装置等がある。コピーサーバ機能とは、スキャナ等で原稿を読み取って得た文書や、ＰＣ（パーソナルコンピュータ）で動作するアプリケーションソフトウェアで作成され印刷された文書等を、イメージとして保存し、保存したイメージを利用して印刷を行うことができるようにしたものである。
【０００４】
このコピーサーバ機能を利用した場合には、印刷時に出力部数を変更したり、複数文書を束ねて１つの文書として出力したりすることができ、さらに、ステープルやパンチ等の後処理の指定や、潜像（ｗａｔｅｒｍａｒｋ）やＩＤ等の画像の付加の指定等を行うこともできる。
【０００５】
ところで、複数文書を束ねる場合や、後処理の指定、画像の付加の指定等を行う場合には、保存されている文書の向きを特定する必要がある。文書の向きは、原稿の読み取りやＰＣでのジョブの生成を行った際に決定されるが、この向きは、必ずしも統一されているとは限らない。このため、文書の向きを特定することができなければ、束ねた文書は、途中でその向きが変わっている可能性があり、後処理や画像の付加も指定した利用者が所望した結果と異なる結果となる可能性がある。
【０００６】
なお、文書等のページイメージを特定する技術としては、画像認識技術を利用するものや（例えば、特許文献１参照）、ページイメージに含まれる文字の向きをＯＣＲによって判定することで、そのページイメージの向きを特定するもの（例えば、特許文献２参照）、ページイメージの余白領域の大きさを認識し、最大余白領域を綴じ代としてステープルするもの（例えば、特許文献３参照）等がある。
【特許文献１】特開平９−１２２１０号公報
【特許文献２】特開２００１−２７８６５号公報
【特許文献３】特開平５−２０８５７２号公報
【発明の開示】
【発明が解決しようとする課題】
【０００７】
上述したように、蓄積した文書のイメージを利用して印刷を行う際には、束ね処理や後処理、画像の付加処理等を行う場合、文書のページイメージの向きを特定する必要があった。
【０００８】
しかしながら、特許文献１や特許文献２に記載された技術では、ページイメージの向きの特定に、特別の画像処理を施す必要があり、その認識精度に課題が残っている。また、これらの技術では、１つの物理ページ内に複数の論理ページが含まれる場合や、利用者が意図的に天地の逆転した状態を正立状態としたい場合に対応することが困難である。
【０００９】
また、特許文献３に記載の技術は、特定の規則に基づいて余白が設定された定型文書に対してページイメージの向きを特定することが可能であるものの、任意の文書では、その最大余白が必ずしも、特定の向き（例えば左）を表すとは限らない。
【００１０】
そこで、本発明は、利用者が任意に指定したページイメージの向きに基づいて、文書に対する処理を行うことのできる文書処理方法および装置並びにプログラムを提供することを目的とする。
【課題を解決するための手段】
【００１１】
上述した目的を達成するため、請求項１の発明は、文書をイメージデータとして管理する文書処理方法であって、文書を、イメージデータと、該イメージデータの向きとを組みにして記憶手段に記憶することを特徴とする。
【００１２】
また、請求項２の発明は、請求項１の発明において、前記記憶手段に記憶している複数のイメージデータに対し、該イメージデータのそれぞれに対応する向きに応じて回転処理を施し、該回転処理を施したイメージデータを一連の文書として出力することを特徴とする。
【００１３】
また、請求項３の発明は、請求項１の発明において、前記記憶手段に記憶しているイメージデータに対し、該イメージデータに対応する向きに応じてステープル若しくはパンチ処理を施す位置を決定することを特徴とする。
【００１４】
また、請求項４の発明は、請求項１の発明において、前記記憶手段に記憶しているイメージデータに対し、該イメージデータに対応する向きに応じて他のイメージを合成することを特徴とする。
【００１５】
また、請求項５の発明は、請求項１の発明において、画像読取手段で原稿を読み取って得たイメージデータに対し、該イメージデータの向きを組みにして前記記憶手段に記憶することを特徴とする。
【００１６】
また、請求項６の発明は、請求項１の発明において、ページ記述言語で記述された文書をイメージデータに展開するとともに、該ページ記述言語で記述された文書の向きを特定し、該展開したイメージデータと該特定した向きを組みにして前記記憶手段に記憶することを特徴とする。
【００１７】
また、請求項７の発明は、原稿を読み取って得たイメージデータを文書として出力する文書処理方法であって、画像読取手段での読み込みパラメータとともに原稿の向きの指定を受け付け、該受け付けた向きを、前記画像読取手段で原稿を読み取って得たイメージデータと組みにして出力することを特徴とする。
【００１８】
また、請求項８の発明は、指定された電子文書をページ記述言語で記述した文書として出力する文書処理方法であって、前記電子文書の向きを取得し、該取得した向きを前記ページ記述言語で前記文書に記述することを特徴とする。
【００１９】
また、請求項９の発明は、文書をイメージデータとして管理する文書処理装置であって、文書を記憶する記憶手段と、文書を、イメージデータと該イメージデータの向きとを組みとして前記記憶手段に記憶する制御手段とを具備することを特徴とする。
【００２０】
また、請求項１０の発明は、請求項９の発明において、前記記憶手段に記憶している複数のイメージデータに対し、該イメージデータのそれぞれに対応する向きに応じて回転処理を施し、該回転処理を施したイメージデータを一連の文書として出力する画像処理手段をさらに具備することを特徴とする。
【００２１】
また、請求項１１の発明は、請求項９の発明において、前記記憶手段に記憶しているイメージデータに対し、該イメージデータに対応する向きに応じてステープル若しくはパンチ処理を施す位置を決定する後処理制御手段をさらに具備することを特徴とする。
【００２２】
また、請求項１２の発明は、請求項９の発明において、前記記憶手段に記憶しているイメージデータに対し、該イメージデータに対応する向きに応じて他のイメージを合成する画像処理手段をさらに具備することを特徴とする。
【００２３】
また、請求項１３の発明は、請求項９の発明において、原稿に基づいてイメージデータを生成する画像読取手段をさらに具備し、前記制御手段は、前記画像読取手段で原稿を読み取って得たイメージデータに対し、該イメージデータの向きを組みにして前記記憶手段に記憶することを特徴とする。
【００２４】
また、請求項１４の発明は、請求項９の発明において、ページ記述言語で記述された文書をイメージデータに展開するとともに、該ページ記述言語で記述された文書の向きを特定する展開手段をさらに具備し、前記制御手段は、前記展開手段が展開したイメージデータと、前記展開手段が特定した向きを組みにして前記記憶手段に記憶することを特徴とする。
【００２５】
また、請求項１５の発明は、原稿を読み取って得たイメージデータを文書として出力する文書処理装置であって、原稿に基づいてイメージデータを生成する画像読取手段と、前記画像読取手段での読み込みパラメータとともに原稿の向きの指定を受け付ける入力手段と、前記入力手段で受け付けた向きを、前記画像読取手段で原稿を読み取って得たイメージデータと組みにして出力する出力手段とを具備することを特徴とする。
【００２６】
また、請求項１６の発明は、指定された電子文書をページ記述言語で記述した文書として出力する文書処理プログラムであって、前記電子文書の向きを取得するステップと、前記向きを前記ページ記述言語で前記文書に記述するステップとを情報処理装置に実行させることを特徴とする。
【発明の効果】
【００２７】
本発明によれば、文書を、イメージデータと該イメージデータの向きとの組みで管理し、該管理しているイメージデータに対して処理を施すように構成したので、利用者は、容易な操作で、文書に対して意図した向きで処理を行うことが可能となる。
【発明を実施するための最良の形態】
【００２８】
以下、本発明に係る文書処理方法および装置並びにプログラムの一実施の形態について、添付図面を参照して、詳細に説明する。
【実施例】
【００２９】
図１は、本発明を適用した文書処理装置の機能的な構成を示すブロック図である。同図に示すように、文書処理装置１は、画像読取部１０と画像形成部１１、後処理部１２、送受信部１３、制御部１４、文書記憶部１５、表示・操作部１６を具備して構成される。
【００３０】
画像読取部１０は、原稿を読み取ってイメージデータを生成するもので、従来の画像形成装置と同様に撮像素子等を有するものである。
【００３１】
画像形成部１１は、イメージデータに基づいて用紙上に画像を形成して印刷を行うもので、従来の画像形成装置と同様の構成を有するものである。
【００３２】
後処理部１２は、画像形成部１１で画像が形成された用紙に対して、ステープルやパンチ等の後処理を施すものである。
【００３３】
なお、ここでは、画像読取部１０と画像形成部１１、後処理部１２を、文書処理装置１の一部としているが、これら各部は、それぞれ、独立した装置として構成し、文書処理装置１の制御部１４と通信線等を介して接続するように構成してもよい。
【００３４】
送受信部１３は、ＰＣ等の情報処理装置２のプリンタドライバ２０との間で通信を行い、プリンタドライバ２０が発行するプリントジョブの受信等を行う。
【００３５】
制御部１４は、他の各部の制御を行うとともに、プリンタドライバ２０が発行したジョブに含まれるＰＤＬ（ページ記述言語）で記述された文書のイメージへの展開や、イメージに対する回転処理、画像の付加等の画像処理を行う。この制御部１４は、プロセッサやメモリ等で構成されるハードウェアをソフトウェア若しくはファームウェアによって動作させることで実現されるものである。
【００３６】
文書記憶部１５は、制御部１４がＰＤＬからイメージへ展開した文書や画像読取部１０が生成したイメージデータを、その向きとともに記憶する。この文書記憶部１５は、ハードディスクやメモリ等の記憶媒体で構成される。
【００３７】
表示・操作部１６は、利用者に対して各種情報の表示を行うとともに、利用者からの操作入力を受け付ける。この表示・操作部１６は、表示器とキー入力装置、または、タッチパネル等により構成される。
【００３８】
次に、文書処理装置１の文書記憶部１５での文書の記憶形態について説明する。図２は、文書の記憶形態を説明するための図である。
【００３９】
文書記憶部１５には、文書を記憶する領域として、ボックス１５０（１５０−１〜１５０−４）が形成されている。このボックス１５０は、文書を利用者別やテーマ別等の任意の項目毎に分類して記憶するためのもので、その数は、任意に設定することができる。また、ボックス１５０は、必ずしも必要なものでもない。
【００４０】
ボックス１５０に記憶される文書は、イメージデータと、そのページのそれぞれに対応する属性情報との組みで構成される。例えば、図２に示すボックス１５０−１では、イメージデータ１５１Ａと属性情報１５２Ａが組となっており、イメージデータ１５１Ｂと属性情報１５２Ｂが組となっている。イメージデータ１５１Ａは、単数または複数のページで構成され（図中では、複数ページを表している）、その各ページに属性情報１５２Ａが対応している。属性情報１５２Ａには、対応するページイメージの幅や高さ、向き等が含まれている。属性情報１５２Ａに含まれる向きとしては、例えば、イメージの天の向きがあるが、地の向きや左右それぞれの向きであってもよい。この属性情報１５２Ａや属性情報１５２Ｂは、プリンタドライバ２０によるジョブの生成時や、画像読取部１０によるイメージデータの生成時に、併せて生成されるものである。
【００４１】
ここで、プリンタドライバ２０による属性情報（属性情報１５２Ａ等）の生成について説明する。図３は、プリンタドライバ２０のジョブ生成時の動作の流れを示すフローチャートである。
【００４２】
プリンタドライバ２０は、利用者による印刷指示に応じて起動されると、まず、印刷範囲や部数、向き等の指示を入力するための画面を情報処理装置２の図示しない表示装置に表示する（ステップ２０１）。この指示入力画面に対し、利用者が向きを指定すると（ステップ２０２でＹＥＳ）、プリンタドライバ２０は、利用者により指定された向きをパラメータとして設定する（ステップ２０３）。一方、利用者が向きを指定しなかった場合には（ステップ２０２でＮＯ）、プリンタドライバ２０は、予め設定されている既定の向きをパラメータとして設定する（ステップ２０３）。
【００４３】
そして、利用者が、指示入力画面にプリントの実行指示を入力すると（ステップ２０５でＹＥＳ）、プリンタドライバ２０は、指定されたパラメータに基づいてＰＤＬを生成する（ステップ２０６）。このとき、生成されるＰＤＬには、向きを示す記述が含まれることとなる。ＰＤＬを生成すると、プリンタドライバ２０は、生成したＰＤＬを含むジョブを生成し、文書処理装置１へ送出し（ステップ２０７）、処理を終了する。
【００４４】
このプリンタドライバ２０で生成されたジョブに含まれるＰＤＬは、文書処理装置１の制御部１４でイメージデータに展開されるが、このとき、ＰＤＬに記述された幅や高さ等の情報とともに、イメージの向きを含む属性情報が生成される。
【００４５】
次に、画像読取部１０によるイメージデータの生成時での属性情報の生成について説明する。画像読取部１０で原稿を読み取る場合には、利用者は、その読み取りパラメータを表示・操作部１６から入力する。このパラメータの入力は、表示・操作部１６にパラメータを入力させるための画面を表示することで、利用者に入力させることにより行われるが、属性情報に含める向きも同様に表示・操作部１６から入力させる。
【００４６】
利用者に向きを設定するパラメータを入力させる場合は、文書処理装置１は、例えば、図４に示すような画面３００を、表示・操作部１６に表示する。画面３００には、利用者に向きを設定させるための「原稿セット向き指定」欄３０１が表示されており、この「原稿セット向き指定」欄３０１に、「読める向き」ボタン３１１と、「左向き」ボタン３１２が配されている。「読める向き」ボタン３１１と、「左向き」ボタン３１２は、排他的に選択することができるもので、初期値としていずれか（図中では、「読める向き」ボタン３１１）が選択された状態となっている。「読める向き」ボタン３１１は、利用者が原稿を読める向き、つまり、利用者が原稿を載置するプラテンの正面に立っている状態で、原稿を正立の状態で読める向きに設定するボタンである。また、「左向き」ボタン３１２は、読める向きを正立とした場合に、左方向に９０度回転した向きに設定するボタンである。利用者は、このいずれかを選択するとともに、原稿を意図的に天地反転させて載置することを含めると、９０度ずつ異なる４方向のいずれかを指定することができる。もちろん、４方向のそれぞれを指定するボタンを用意しておいてもよい。
【００４７】
文書処理装置１は、画像読取部１０が画面３００等に対して入力されたパラメータで、原稿を読み取ってイメージデータを生成し、制御部１４が指定されたパラメータに基づいて、向きを含む属性情報を生成して、イメージデータと組みにして文書記憶部１５に記憶する。
【００４８】
次に、文書記憶部１５に記憶されている文書を印刷する際に、属性情報として設定されている向きを利用する場合の例を説明する。文書記憶部１５に記憶されている文書の印刷を行う場合には、設定されている向きを利用して、後処理の指定、文書の束ね処理、画像の付加等を行うことができる。
【００４９】
後処理の指定を行う場合には、利用者は、文書のイメージをプレビュー画面等で確認することなく、上下左右といった位置を指定するだけで、ステープルの位置やパンチの位置を指定することができる。例えば、図５（ａ）、図５（ｂ）、図５（ｃ）のそれぞれに示す文書４０１、文書４０２、文書４０３にその天の向きとして図中の矢印で示す方向が設定されていたとする。この文書４０１に対して利用者がステープル位置を左に指定した場合には、その後処理結果は、図５（ａ）に示す出力結果４１１のようになる。同様に、文書４０２に対して利用者がパンチ位置を左に指定した場合には、その後処理結果は、図５（ｂ）に示す出力結果４１２のようになる。また、文書４０１と天地が反転している文書４０３に対して利用者がステープル位置を左に指定した場合には、その後処理結果は、図５（ｃ）に示す出力結果４１３のようになる。なお、文書４０１と文書４０３は、イメージデータ自体は、同一のものであるが、対応する属性情報に含まれる向きが異なる文書である。
【００５０】
文書の束ね処理を行う場合には、利用者は、文書のイメージをプレビューすることなく、束ねる文書とその順番を指定するだけで、文書を束ねることができる。例えば、図６（ａ）に示す文書４２１と文書４２２を束ねる場合、制御部１４は、それぞれの文書に設定されている天の向き（図中矢印で示す方向）を合わせて文書を束ねて印刷を行う。その結果、文書４２２が１８０度回転されて文書４２１と束ねられ、図６（ａ）に示す出力結果４３１のように、向きが統一された文書として出力されることとなる。なお、文書を束ねる際には、各文書の先頭ページの向きに基づいて回転処理を行ってもよく、各ページの向きに基づいて回転処理を行ってもよい。
【００５１】
また、束ね処理の対象となる文書が、図６（ｂ）に示す文書４２３と文書４２４のように、ポートレイトとランドスケープの関係にある場合には、両者の向きを統一させて出力することはできないため、制御部１４は、一般的な両者の関係であるポートレイトの天の向きを正とした場合に、左に９０度回転した方向がランドスケープの天の向きとなるように、回転処理を施し、図６（ｂ）に示す出力結果４３２のような出力を行う。
【００５２】
文書に画像を付加する場合には、利用者は、文書のイメージをプレビューすることなく、「禁複写」等の潜像や、ヘッダ若しくはフッタにＩＤや日時等の画像を付加した出力を得ることができる。例えば、図７（ａ）乃至図７（ｄ）のそれぞれに示す文書４４１、文書４４２、文書４４３、文書４４４のそれぞれに、「禁複写」の潜像を付加する指示をした場合には、それぞれ、図中の矢印で示す天の方向に基づいて、「禁複写」の潜像が付加された出力結果４５１、出力結果４５２、出力結果４５３、出力結果４５４を得ることができる。
【００５３】
これら、後処理の指定、文書の束ね処理、画像の付加等の処理は、利用者が表示・操作部１６から指示を入力することで行われるが、その際には、表示・操作部１６には、指示を入力するための画面が表示される。ここでは、文書の束ね処理とその結果に対する後処理を指定する場合の画面を例として、利用者による指示入力方法を説明する。
【００５４】
利用者が文書記憶部１５に記憶されている文書に対して操作を行う場合には、まず、表示・操作部１６には、図８に示すような画面５００が表示される。画面５００には、処理対象となる文書を選択する文書選択欄５０１が表示されており、利用者は、文書選択欄５０１から処理対象となる文書を選択する。そして、束ね処理を指定する場合には、利用者は、「束ねプリント」ボタン５０２を押下することとなる。
【００５５】
利用者が「束ねプリント」ボタン５０２を押下すると、表示・操作部１６には、図９に示すような画面５１０が表示される。画面５１０には、後処理を指定するための後処理指定ボタン５１１が配されており、利用者が後処理指定ボタン５１１を押下することで、後処理の内容を指定することができる。
【００５６】
利用者が後処理指定ボタン５１１を押下すると、表示・操作部１６には、図１０に示すような画面５２０が表示される。画面５２０には、ステープルの要否および位置を指定するステープル指定選択欄５２１と、パンチの要否および位置を指定するパンチ指定欄５２２が配されており、利用者は、ステープル指定選択欄５２１若しくはパンチ指定欄５２２に配された指示ボタンから所望のボタンを押下することで、後処理の内容を指定することができる。
【００５７】
利用者が、後処理の指定を終え、「閉じる」ボタン５２３を押下すると、表示・操作部１６に表示される画面は、図９に示した画面５１０に戻り（ただし、図中のステープル、パンチの指定内容の表示が異なるものとなる）、利用者が「プリント実行」ボタン５１２を押下することで、束ね処理と後処理を含む印刷処理が実行されることとなる。
【図面の簡単な説明】
【００５８】
【図１】本発明を適用した文書処理装置の機能的な構成を示すブロック図である。
【図２】文書の記憶形態を説明するための図である。
【図３】プリンタドライバ２０のジョブ生成時の動作の流れを示すフローチャートである。
【図４】原稿の読み取り時に利用者に向きを設定するパラメータを入力させる画面の例を示した図である。
【図５】文書を印刷する際に、属性情報として設定されている向きを利用する場合の例を説明するための図である。
【図６】文書を印刷する際に、属性情報として設定されている向きを利用する場合の例を説明するための図である。
【図７】文書を印刷する際に、属性情報として設定されている向きを利用する場合の例を説明するための図である。
【図８】利用者が文書記憶部１５に記憶されている文書に対して操作を行う場合に操作入力を行う画面の例を示した図である。
【図９】利用者が文書記憶部１５に記憶されている文書に対して操作を行う場合に操作入力を行う画面の例を示した図である。
【図１０】利用者が文書記憶部１５に記憶されている文書に対して操作を行う場合に操作入力を行う画面の例を示した図である。
【符号の説明】
【００５９】
１    文書処理装置
２    情報処理装置
１０    画像読取部
１１    画像形成部
１２    後処理部
１３    送受信部
１４    制御部
１５    文書記憶部
１６    表示・操作部
２０    プリンタドライバ
１５０−１〜１５０−４    ボックス
１５１Ａ、１５１Ｂ    イメージデータ
１５２Ａ、１５２Ｂ    属性情報
３００    画面
３０１    「原稿セット向き指定」欄
３１１    「読める向き」ボタン
３１２    「左向き」ボタン
４０１    文書
４０２    文書
４０３    文書
４１１    出力結果
４１２    出力結果
４１３    出力結果
４２１    文書
４２２    文書
４２３    文書
４２４    文書
４３１    出力結果
４３２    出力結果
４４１    文書
４４２    文書
４４３    文書
４４４    文書
４５１    出力結果
４５２    出力結果
４５３    出力結果
４５４    出力結果
５００    画面
５０１    文書選択欄
５０２    「束ねプリント」ボタン
５１０    画面
５１１    後処理指定ボタン
５１２    「プリント実行」ボタン
５２０    画面
５２１    ステープル指定選択欄
５２２    パンチ指定欄
５２３    「閉じる」ボタン
【図１】
2006115309.tif 000003
【図２】
2006115309.tif 000004
【図３】
2006115309.tif 000005
【図４】
2006115309.tif 000006
【図５】
2006115309.tif 000007
【図６】
2006115309.tif 000008
【図７】
2006115309.tif 000009
【図８】
2006115309.tif 000010
【図９】
2006115309.tif 000011
【図１０】
2006115309.tif 000012